(57)【要約】【課題】同軸記録方式で、ホログラムから位相共役再生光として信号光を再生することができ、再生される信号光の信号対ノイズ比（ＳＮＲ）を向上させることができる、光再生装置を提供する。【解決手段】空間光変調器２４から光記録媒体２８に参照光が照射され、通常の再生信号光と透過参照光とが生成する。透過参照光は、１／４波長板３４を通過して、部分反射ミラー３６の光反射部３６Ｍで反射され、１／４波長板３４を通過して、レンズ３２側に射出される。透過参照光は、レンズ３２で集光されて、光記録媒体２８のホログラムが記録された領域に、読出し光として照射される。光記録媒体２８からは、位相共役再生光と透過参照光とが射出される。位相共役再生光は、偏光ビームスプリッタ２２でセンサアレイ４０の方向に反射されて、センサアレイ４０で検出される。【選択図】図６
2009211761.tif 000002
【特許請求の範囲】
【請求項１】
コヒーレント光を射出する光源と、２次元状に配列された複数の画素部で構成され且つ光源から入射した光を表示パターンに応じて画素毎に変調して出力する空間光変調器と、を含み、透過型の光記録媒体に対し信号光と参照光とを同軸で照射して記録されたホログラムに、空間光変調器で生成された直線偏光の参照光を読出し光として照射して、光記録媒体から第１信号光を再生する再生手段と、
前記再生手段により前記光記録媒体から再生された第１信号光の射出側に同軸で配置され、前記光記録媒体側から入射された前記第１信号光と前記光記録媒体を透過した透過参照光とを結像すると共に、前記光記録媒体とは反対側から入射された光を前記光記録媒体に集光する光学系と、
前記光学系の光出射側に同軸で配置され、前記光学系で結像された前記第１信号光を透過又は吸収すると共に、前記光学系で結像された前記透過参照光の偏光方向をその偏光方向とは直交する方向に回転させて前記光記録媒体側に反射する選択反射手段と、
を備え、
前記ホログラムに前記選択反射手段で反射された透過参照光を読出し光として照射して、前記光記録媒体から第２信号光を再生する、
ことを特徴とする光再生装置。
【請求項２】
前記光記録媒体から再生された第２信号光を検出する光検出器を、更に備えることを特徴とする請求項１に記載の光再生装置。
【請求項３】
前記選択反射手段は、前記透過参照光の光路に配置された反射板と、該反射板の光入射側に該反射板と平行に近接配置又は貼付された１／４波長板と、を含んで構成されたことを特徴とする請求項１又は２に記載の光再生装置。
【発明の詳細な説明】
【技術分野】
【０００１】
本発明は、光再生装置に関する。
【背景技術】
【０００２】
近時、ホログラフィックメモリの記録再生方式として、従来の二光束干渉方式と比較して光学系を大幅に簡素化でき、振動などの外乱に強い、サーボ機構の導入が容易等の利点を有する同軸記録方式（コリニア方式）が提案されている。このコリニア方式では、空間光変調器により変調されて生成された信号光と参照光とを、共通の光軸として同一のレンズにより集光し、信号光と参照光との干渉により形成される干渉縞（回折格子）を、光記録媒体にホログラムとして記録する。デジタルデータを二次元符号化した信号光パターンを空間光変調器に表示することで、信号光にはデジタルデータが重畳される。
【０００３】
ホログラムが記録された光記録媒体に、参照光を読出し光として照射することで、記録されたホログラムから信号光が再生される。この再生信号光から、重畳されたデジタルデータを復号することができる。コリニア方式のホログラフィックメモリは、光学系が大幅に簡素化されているとはいえ、その光学系には種々の光学素子が使用される。それらの光学素子により、光が伝播する過程で波面の歪みが生じる。この波面の歪み（光学収差）により、再生像は、記録時のデータパターンから歪んだ像となる。その結果、再生像の信号対雑音比（ＳＮＲ）やビット誤り率（ＢＥＲ）が劣化してしまう。
【０００４】
光学系に起因する再生像の歪みを解消するには、位相共役再生が効果的である。位相共役再生では、記録過程と再生過程において同一の光学素子を用いると共に、記録過程と再生過程とで光が伝播する向きが逆になるため、記録過程で受けた波面の歪みが再生過程で相殺される。しかしながら、従来のコリニア方式では、参照光波面の複雑さから、位相共役再生を実現することが困難であった。
【０００５】
特許文献１に記載のホログラフィック記録媒体の再生装置では、コリニア方式で同一のホログラムから通常の再生光と位相共役再生光の２種類の再生光を取得している。しかしながら、通常の再生光と位相共役再生光とが同じ方向に射出されて結像される。このため、通常の再生像と位相共役再生像との差違をカメラで検出して、復号する必要がある。
【０００６】
【特許文献１】特開２００５−２４３１１６号公報
【発明の開示】
【発明が解決しようとする課題】
【０００７】
本発明の目的は、同軸記録方式で、ホログラムから位相共役再生光として信号光を再生することができ、再生される信号光の信号対ノイズ比（ＳＮＲ）を向上させることができる、光再生装置を提供することにある。
【課題を解決するための手段】
【０００８】
上記目的を達成するために請求項１に記載の光再生装置は、コヒーレント光を射出する光源と、２次元状に配列された複数の画素部で構成され且つ光源から入射した光を表示パターンに応じて画素毎に変調して出力する空間光変調器と、を含み、透過型の光記録媒体に対し信号光と参照光とを同軸で照射して記録されたホログラムに、空間光変調器で生成された直線偏光の参照光を読出し光として照射して、光記録媒体から第１信号光を再生する再生手段と、前記再生手段により前記光記録媒体から再生された第１信号光の射出側に同軸で配置され、前記光記録媒体側から入射された前記第１信号光と前記光記録媒体を透過した透過参照光とを結像すると共に、前記光記録媒体とは反対側から入射された光を前記光記録媒体に集光する光学系と、前記光学系の光出射側に同軸で配置され、前記光学系で結像された前記第１信号光を透過又は吸収すると共に、前記光学系で結像された前記透過参照光の偏光方向をその偏光方向とは直交する方向に回転させて前記光記録媒体側に反射する選択反射手段と、を備え、前記ホログラムに前記選択反射手段で反射された透過参照光を読出し光として照射して、前記光記録媒体から第２信号光を再生する、ことを特徴とする。
【０００９】
請求項２に記載の光再生装置は、請求項１に記載の発明において、前記光記録媒体から再生された第２信号光を検出する光検出器を、更に備えることを特徴とする。
【００１０】
請求項３に記載の光再生装置は、請求項１又は２に記載の発明において、前記選択反射手段は、前記透過参照光の光路に配置された反射板と、該反射板の光入射側に該反射板と平行に近接配置又は貼付された１／４波長板と、を含んで構成されたことを特徴とする。
【発明の効果】
【００１１】
本発明の各請求項に係る発明は、各々以下の効果を有する。
【００１２】
請求項１に記載の発明によれば、同軸記録方式で、ホログラムから位相共役再生光として信号光を再生することができ、再生される信号光の信号対ノイズ比（ＳＮＲ）を向上させることができる、という効果がある。
【００１３】
請求項２に記載の発明によれば、位相共役再生光により歪みの無い再生像を検出でき、高いＳＮＲでホログラムを再生することができる、という効果がある。
【００１４】
請求項３に記載の発明によれば、選択反射手段に入射した透過参照光の偏光方向をより確実に９０°回転させることができる、という効果がある。
【発明を実施するための最良の形態】
【００１５】
以下、図面を参照して本発明の実施の形態の一例を詳細に説明する。
（光記録再生装置の概略構成）
図１は本発明の実施の形態に係る光記録再生装置の構成を示す概略図である。この光記録再生装置は、光軸を共通とする信号光と参照光とを、同じ方向から１光束の記録光として光記録媒体に照射する「同軸記録方式（コリニア方式）」の光記録再生装置である。本実施の形態では、反射型の空間光変調器（ＳＬＭ：spatial light modulator）と透過型の光記録媒体とを用いる「同軸透過型」の光記録再生装置について説明する。
【００１６】
光記録再生装置には、コヒーレント光であるレーザ光を発振する光源１０が設けられている。光源１０としては、例えば、発振波長が５３２ｎｍの緑色レーザ光を発振するレーザ光源が用いられる。光源１０の光出射側には、光路に対し挿入又は退避（開閉）が可能なシャッター１２、直交する直線偏光成分間に１／２波長の光路差を与える１／２波長板１４、所定の偏光方向の光を通過させる偏光板１６、拡大・コリメート光学系であるビームエキスパンダ１８、及び反射ミラー２０が、光源１０の側から光路に沿ってこの順に配置されている。シャッター１２は、コンピュータ等の制御装置（図示せず）に接続された駆動装置（図示せず）により駆動されて開閉する。
【００１７】
反射ミラー２０の光反射側には、所定の偏光方向の光を反射し且つこれと直交する偏光方向の光を透過する偏光ビームスプリッタ２２が配置されている。反射ミラー２０側から見て、偏光ビームスプリッタ２２の光反射側には、画素毎に入射光を偏光変調する反射型の空間光変調器２４が配置されている。反射型の空間光変調器２４としては、ＤＭＤ（digital micro-mirror device）、ＬＣＯＳ（liquid crystal on silicon）等を用いることができる。空間光変調器２４は、パターン発生器（図示せず）を介して制御装置（図示せず）に接続されている。
【００１８】
パターン発生器は、制御装置から供給されたデジタルデータを二次元符号化して、空間光変調器２４に表示する信号光パターンを生成する。信号光パターンは、例えば、二値のデジタルデータ「０，１」が「暗（黒画素）、明（白画素）」で表現されたデジタルパターン等である。空間光変調器２４には、信号光パターンの外に、参照光パターンも表示される。参照光パターンは、例えば、ランダムパターン等である。空間光変調器２４は、表示された信号光パターンや参照光パターンに応じて入射したレーザ光を変調して、信号光や参照光を生成する。空間光変調器２４は、生成した信号光や参照光を、偏光ビームスプリッタ２２側に反射する。
【００１９】
図２（Ａ）は記録時に空間光変調器２４に表示する記録用パターンの一例を示す図である。図２（Ａ）に示すように、記録用パターン６４は、信号光を生成する信号光パターン６６と、参照光を生成するリング状の参照光パターン６８と、を含んで構成されている。信号光パターン６６は、空間光変調器２４の中央部分に表示される。参照光パターン６８は、この信号光パターンを取り囲むように、空間光変調器２４の周辺部分に表示される。信号光パターンを表示する領域が信号光領域であり、参照光パターンを表示する領域が参照光領域である。信号光領域の形状及び参照光領域の形状は、記録用パターンに応じて適宜変更することができる。
【００２０】
図２（Ｂ）は空間光変調器２４の表示面２４Ａに設定された表示領域の一例を示す平面図である。表示面２４Ａの大きさ等に応じて記録用パターンのサイズやパターン配置は予め設定されている。例えば、本実施の形態では、図２（Ｂ）に示すように、空間光変調器２４の表示面２４Ａには、円形の信号光領域２４Ｓと、この信号光領域２４Ｓを取り囲むリング状の参照光領域２４Ｒと、が各々配置されている。
【００２１】
図３は再生時に空間光変調器２４に表示する再生用パターンの一例を示す図である。図３に示すように、再生用パターン７０は、記録用パターン６４に含まれていた、参照光を生成するリング状の参照光パターン６８で構成されている。即ち、再生時には、空間光変調器２４の表示面２４Ａに設定された参照光領域２４Ｒだけにパターンが表示され、表示された参照光パターンに応じて入射したレーザ光が変調されて、参照光だけが生成される。
【００２２】
偏光ビームスプリッタ２２には、空間光変調器２４で生成された信号光や参照光が入射する。この空間光変調器２４から見て、偏光ビームスプリッタ２２の光透過側には、レンズ２６が配置されている。レンズ２６は、記録光をフーリエ変換して、光記録媒体２８に照射する。レンズ２６の焦点位置が、記録光が集光される集光位置となる。ホログラムは、光記録媒体２８の表面近傍にある焦点位置に記録される。
【００２３】
レンズ２６の光出射側には、光記録媒体２８を保持する保持ステージ３０が設けられている。保持ステージ３０は、制御装置（図示せず）に接続された駆動装置（図示せず）により駆動されて、回転すると共に、光軸方向又は光軸と垂直な面方向に移動する。本実施の形態では、記録時には、保持ステージ３０を、光記録媒体２８の表面近傍がレンズ２６の焦点位置となるように、所定位置に移動させる。
【００２４】
光記録媒体２８は、光照射による屈折率変化によりホログラムを記録可能な光記録媒体である。このような光記録媒体２８としては、例えば、フォトポリマー材料、フォトリフラクティブ材料、銀塩感光材料等の記録材料を用いた光記録媒体が挙げられる。
【００２５】
光記録媒体２８の光透過側には、レンズ３２、直交する直線偏光成分間に１／４波長の光路差を与える１／４波長板３４、及び部分反射ミラー３６が、保持ステージ３０の側から光路に沿ってこの順に配置されている。部分反射ミラー３６は、レンズ３２の結像面に配置されている。１／４波長板３４と部分反射ミラー３６とが、光記録媒体２８を透過した透過参照光の偏光方向を９０°回転させて、光記録媒体２８側に反射する「選択反射手段」として機能する。１／４波長板３４は、光軸と平行な光が垂直に入射するように、部分反射ミラー３６と平行に配置されている。また、１／４波長板３４は、部分反射ミラー３６との平行な位置関係を維持するために、部分反射ミラー３６に近接させて配置されている。或いは、部分反射ミラー３６に貼付して一体に構成することもできる。
【００２６】
また、レンズ２６側から見て、偏光ビームスプリッタ２２の光反射側には、センサアレイ４０が配置されている。センサアレイ４０は、制御装置（図示せず）に接続されている。センサアレイ４０は、ＣＣＤやＣＭＯＳアレイ等の撮像素子で構成され、受光した再生光（回折光）を電気信号に変換して、制御装置（図示せず）に出力する。
【００２７】
（部分反射ミラーの構成）
次に、部分反射ミラー３６の構成について説明する。部分反射ミラー３６は、上述した通り、レンズ３２の結像面に配置されている。後述するとおり、再生時に光記録媒体２８に読出し用の参照光が照射されると、照射された参照光は、光記録媒体２８を透過するときに、ホログラムによって回折され、透過回折光（再生された信号光）がレンズ３２側に射出される。なお、以下では、ホログラムから再生された信号光を、「再生光」又は「再生信号光」という。一部の参照光は回折されずに光記録媒体２８を透過する（透過参照光）。レンズ３２の結像面には、１／４波長板３４を通過した再生光と透過参照光とが結像される。
【００２８】
部分反射ミラー３６は、再生信号光を透過又は吸収し、透過参照光を反射するように構成されている。図４（Ａ）は部分反射ミラー３６の一例を示す平面図である。部分反射ミラー３６は、平面視が矩形状の光反射部３６Ｍから構成され、その中央部分にはアパーチャ３６Ａが形成されている。アパーチャ３６Ａは、再生信号光が結像される領域に設けられている。従って、再生信号光はアパーチャ３６Ａを通過し、残りの透過参照光は光反射部３６Ｍで反射される。
【００２９】
図４（Ｂ）は部分反射ミラー３６の他の一例を示す平面図である。この例では、部分反射ミラー３６は、平面視が矩形状の光反射部３６Ｍから構成され、その中央部分には遮蔽部３６Ｂが形成されている。遮蔽部３６Ｂは、光反射部３６Ｍの再生信号光が結像される領域に設けられている。遮蔽部３６Ｂは、例えば、黒色顔料等の光吸収材料を含む材料を、光反射部３６Ｍ上に積層して形成することができる。或いは、再生光信号光を吸収する吸収シートを貼付して設けられている。この例では、再生信号光は遮蔽部３６Ｂで吸収され、残りの透過参照光は光反射部３６Ｍで反射される。
【００３０】
図４（Ｃ）は部分反射ミラー３６の更に他の一例を示す平面図である。この例では、部分反射ミラー３６は、平面視が矩形状の透明基板３６Ｔから構成され、その周辺部分にはリング状の光反射部３６ＲＭが形成されている。光反射部３６ＲＭは、透明基板３６Ｔの透過参照光が結像される領域に設けられている。透明基板３６Ｔは、ガラス等の透明な材料で平板状に構成されている。光反射部３６ＲＭは、例えば、アルミニウム等の反射性材料を、透明基板３６Ｔ上に蒸着して形成することができる。この例では、再生信号光は透明基板３６Ｔを透過し、残りの透過参照光は光反射部３６ＲＭで反射される。
【００３１】
（ホログラムの記録動作）
次に、図１に示すホログラム記録再生装置の記録動作について簡単に説明する。
ホログラムを記録する場合には、シャッター１２を開いて、光源１０からレーザ光を照射する。同時に、制御装置からデジタルデータを所定のタイミングで出力して、空間光変調器２４に記録用パターン（図２（Ａ）参照）を表示する。また、保持ステージ３０を、光記録媒体２８の表面近傍がレンズ２６の焦点位置となるように、所定位置に移動させる。光源１０から発振されたレーザ光は、シャッター１２を通過し、１／２波長板１４と偏光板１６とにより光強度や偏光方向が調整される。偏光板１６を通過した光は、ビームエキスパンダ１８により大径の平行光に変換され、反射ミラー２０に照射される。
【００３２】
反射ミラー２０で反射された光は、偏光ビームスプリッタ２２に入射する。入射された光は、偏光ビームスプリッタ２２で空間光変調器２４の方向に反射される。空間光変調器２４では、表示されたパターンに応じてレーザ光が偏光変調され、信号光と参照光とが生成される。空間光変調器２４で偏光変調された記録光は、偏光ビームスプリッタ２２に照射され、偏光ビームスプリッタ２２を透過して直線偏光の振幅分布に変換される。その後、記録光（即ち、信号光と参照光）は、レンズ２６で集光されて、光記録媒体２８に同時に且つ同軸で照射される。信号光と参照光とが集光される位置において、信号光と参照光とが干渉して形成された干渉縞が、光記録媒体２８にホログラムとして記録される。
【００３３】
（ホログラムの再生動作）
光記録媒体２８に記録されたホログラムから信号光を再生する場合には、シャッター１２を開いて、光源１０からレーザ光を照射する。同時に、制御装置からデジタルデータを所定のタイミングで出力して、参照光だけが光記録媒体２８に照射されるように、空間光変調器２４に参照光パターン（図３参照）を表示する。
【００３４】
光源１０から発振されたレーザ光は、記録の場合と同様にして、空間光変調器２４に入射する。空間光変調器２４では、表示されたパターンに応じてレーザ光が偏光変調され、参照光が生成される。空間光変調器２４で偏光変調されて生成された参照光は、偏光ビームスプリッタ２２に照射され、偏光ビームスプリッタ２２を透過して直線偏光の振幅分布に変換される。その後、参照光は、レンズ２６で集光されて、光記録媒体２８のホログラムが記録された領域に照射される。即ち、光記録媒体２８には、参照光だけが読出し光として照射される。
【００３５】
図５は通常の再生光が再生される段階を示す概略図である。図５に示すように、光記録媒体２８に照射された参照光は、光記録媒体２８を透過するときに、ホログラムによって回折され、透過回折光（通常の再生信号光）がレンズ３２側に射出される。一部の参照光は回折されずに光記録媒体２８を透過する（透過参照光）。光記録媒体２８から射出された再生信号光と透過参照光とは、レンズ３２により平行光とされ、１／４波長板３４で直線偏光から円偏光に変換されて、部分反射ミラー３６に照射される。
【００３６】
レンズ３２の結像面には、再生信号光と透過参照光とが結像する。ここでは、図４（Ａ）に示す部分反射ミラー３６を用いた場合について説明する。レンズ３２により結像された再生信号光は、アパーチャ３６Ａを通過する。レンズ３２により結像された透過参照光は、光反射部３６Ｍで光記録媒体２８側に反射される。なお、部分反射ミラー３６の光透過側に、破線で示したようにセンサアレイ４２を配置して、再生信号光（通常の再生光）を検出するようにしてもよい。
【００３７】
例えば、Ｐ偏光を透過し且つＳ偏光を反射する偏光ビームスプリッタ２２を用いると、偏光ビームスプリッタ２２を透過したＰ偏光の参照光が、光記録媒体２８に照射される。光記録媒体２８からは、Ｐ偏光の再生信号光と透過参照光とが射出される。
【００３８】
図６は位相共役再生光が再生される段階を示す概略図である。図６に示すように、部分反射ミラー３６の光反射部３６Ｍで反射された透過参照光は、１／４波長板３４で円偏光から直線偏光に変換されて、レンズ３２側に射出される。射出された透過参照光は、レンズ３２で集光されて、光記録媒体２８のホログラムが記録された領域に照射される。即ち、光記録媒体２８には、透過参照光が読出し光として照射される。この透過参照光の空間周波数は、記録時に用いた参照光と同一であるため、信号光を再生することが可能である。
【００３９】
光記録媒体２８に照射された透過参照光は、光記録媒体２８を透過するときに、ホログラムによって回折され、透過回折光（位相共役再生による再生信号光）がレンズ２６側に射出される。以下では、位相共役再生による再生信号光を「位相共役再生光」という。一部の参照光は回折されずに光記録媒体２８を透過する。光記録媒体２８から射出された位相共役再生光と透過参照光とは、レンズ２６により平行光とされ、偏光ビームスプリッタ２２に入射する。入射された光は、偏光ビームスプリッタ２２でセンサアレイ４０の方向に反射される。
【００４０】
例えば、Ｐ偏光を透過し且つＳ偏光を反射する偏光ビームスプリッタ２２を用いると、
光記録媒体２８から射出されたＰ偏光の透過参照光は、１／４波長板３４を通過し、部分反射ミラー３６ので光反射部３６Ｍ反射され、再度１／４波長板３４を通過して、Ｐ偏光からＳ偏光に変換される。Ｓ偏光に変換された透過参照光は、読出し光として光記録媒体２８に照射される。光記録媒体２８からは、Ｓ偏光の位相共役再生光と透過参照光とが射出される。Ｓ偏光の位相共役再生光と透過参照光とは、レンズ２６により平行光とされ、偏光ビームスプリッタ２２でセンサアレイ４０の方向に反射される。
【００４１】
センサアレイ４０は、受光した位相共役再生光と透過参照光とを電気信号に変換して出力する。即ち、センサアレイ４０は、受光面に結像された再生像を撮像し、撮像された再生像の画像データを制御装置（図示せず）に出力する。この画像データに基づいて、位相共役再生光から再生信号光に重畳されたデータが復号される。なお、センサアレイ４０では、信号光データの１画素を複数の受光素子により受光する、オーバーサンプリングを実施することが好ましい。例えば、１ビットのデータを４個（２×２）の受光素子により受光する。
【００４２】
位相共役再生光は、記録時の信号光の光路と同じ光路を逆向きに伝播する。このため、記録過程で受けた波面の歪みが再生過程で相殺されて、通常の再生光よりも波面の歪みが小さい信号光となる。本実施の形態では、位相共役再生光を通常の再生光とは異なる方向に射出させるので、位相共役再生光を通常の再生光とは別に検出することができる。この位相共役再生光を用いて再生することで、センサアレイ４０上に結像される再生像の歪みが低減され、再生信号のＳＮＲやＢＥＲが向上する。
【００４３】
また、ホログラムの記録時においても、透過参照光により位相共役再生光が生成する。この位相共役再生光をセンサアレイ４０で検出して、信号光強度（回折光強度）を求め、求められた信号光強度と既知の参照光強度とから、記録されたホログラムの回折効率を算出できる。従って、記録時に、位相共役再生光をモニターして、回折効率が所望の大きさになるように、露光時間を制御することも可能である。
【図面の簡単な説明】
【００４４】
【図１】本発明の実施の形態に係る光記録再生装置の構成を示す概略図である。
【図２】（Ａ）は記録時に空間光変調器に表示する記録用パターンの一例を示す図である。（Ｂ）は空間光変調器の表示面に設定された表示領域の一例を示す平面図である。
【図３】再生時に空間光変調器２４に表示する再生用パターンの一例を示す図である。
【図４】（Ａ）〜（Ｃ）は部分反射ミラーの一例を示す平面図である。
【図５】通常の再生光が再生される段階を示す概略図である。
【図６】位相共役再生光が再生される段階を示す概略図である。
【符号の説明】
【００４５】
１０  光源
１２  シャッター
１４  １／２波長板
１６  偏光板
１８  ビームエキスパンダ
２０  反射ミラー
２２  偏光ビームスプリッタ
２４  空間光変調器
２４Ｒ      参照光領域
２４Ｓ      信号光領域
２４Ａ      表示面
２６  レンズ
２６  空間光変調器
２８  光記録媒体
３０  保持ステージ
３２  レンズ
３４  １／４波長板
３６  部分反射ミラー
３６Ａ      アパーチャ
３６Ｂ      遮蔽部
３６Ｔ      透明基板
３６Ｍ      光反射部
３６ＲＭ    リング状の光反射部
４０  センサアレイ
４２  センサアレイ
６４  記録用パターン
６６  信号光パターン
６８  参照光パターン
７０  再生用パターン
【図１】
2009211761.tif 000003
【図４】
2009211761.tif 000004
【図５】
2009211761.tif 000005
【図６】
2009211761.tif 000006
【図２】
2009211761.tif 000007
【図３】
2009211761.tif 000008